(57)【要約】      （修正有）【課題】限られた記憶資源を効率的に使用して、視聴者が真に視聴したい放送番組を効率的に録画する。【解決手段】携帯電話端末１００において受信された放送番組の場面及びデータ放送は、携帯電話端末１００の表示部１１３の表示画面１１３ａに、互いに対応付けられた内容が表示される。続いて、放送番組の場面及びデータ放送が更新されると、データ放送表示に「シュート」というキーワードが含まれていたとする。携帯電話端末１００は、「シュート」というキーワードの検出を契機として録画を自動的に開始し、検出時刻の前後の所定時間だけ放送番組の録画を行う。この様にすると、ユーザは、録画したい放送番組の場面を逃さず録画することができるとともに、携帯電話端末１００の限られたメモリ等の記憶資源を効率的に使用することができ、録画したい放送番組の場面をより多く録画することが可能になる。【選択図】図１
2010035009.tif 000002
【特許請求の範囲】
【請求項１】
記録する放送番組の属性情報をユーザ設定に基づき予め記憶しておく番組属性情報記憶部と、
放送番組を受信する放送受信部と、
前記放送受信部によって受信された放送番組を一時記憶データとして一時記憶する一時記憶部と、
前記放送番組と連携するデータ放送を受信するデータ放送受信部と、
前記データ放送受信部によって受信されたデータ放送のデータに前記属性情報と一致するデータが存在するか否かを検索する属性情報一致データ検索部と、
前記属性情報一致データ検索部によって前記属性情報と一致するデータが検出されたデータ放送と連携する放送番組の一時記憶データを前記データが検出された時刻を基準とした所定時間分だけ前記一時記憶部から抽出する放送番組部分抽出部と、
前記放送番組部分抽出部によって抽出された前記所定時間分だけの前記放送番組の一時記憶データを保存記憶する保存記憶部と
を有することを特徴とする放送番組記録装置。
【請求項２】
前記一時記憶部は、前記放送受信部によって受信された放送番組の一時記憶データを循環書き込みすることを特徴とする請求項１記載の放送番組記録装置。
【請求項３】
前記放送番組の属性情報は、該放送番組のジャンル及び該ジャンル毎の録画時間であることを特徴とする請求項１又は２記載の放送番組記録装置。
【請求項４】
前記放送番組の属性情報は、該放送番組と連携するデータ放送のデータに含まれるキーワード及び該キーワード毎の録画時間であることを特徴とする請求項１、２又は３記載の放送番組記録装置。
【請求項５】
記録する放送番組の属性情報をユーザ設定に基づき予め記憶しておく番組属性情報記憶手順と、
放送番組を受信する放送受信手順と、
前記放送受信手順によって受信された放送番組を一時記憶データとして一時記憶部に循環書き込みによって一時記憶する一時記憶手順と、
前記放送番組と連携するデータ放送を受信するデータ放送受信手順と、
前記データ放送受信手順によって受信されたデータ放送のデータに前記属性情報と一致するデータが存在するか否かを検索する属性情報一致データ検索手順と、
前記属性情報一致データ検索手順によって前記属性情報と一致するデータが検出されたデータ放送と連携する放送番組の一時記憶データを前記データが検出された時刻を基準とした所定時間分だけ前記一時記憶部から抽出する放送番組部分抽出手順と、
前記放送番組部分抽出手順によって抽出された前記所定時間分だけの前記放送番組の一時記憶データを保存記憶部に保存記憶する保存記憶手順と
をコンピュータに実行させることを特徴とする放送番組記録プログラム。
【請求項６】
前記放送番組の属性情報は、該放送番組のジャンル及び該ジャンル毎の録画時間、又は、該放送番組と連携するデータ放送のデータに含まれるキーワード及び該キーワード毎の録画時間であることを特徴とする請求項５記載の放送番組記録プログラム。
【請求項７】
受信した放送番組を放送番組記録装置が録画する放送番組記録方法であって、
記録する放送番組の属性情報をユーザ設定に基づき予め記憶しておく番組属性情報記憶ステップと、
放送番組を受信する放送受信ステップと、
前記放送受信ステップによって受信された放送番組を一時記憶データとして一時記憶部に循環書き込みによって一時記憶する一時記憶ステップと、
前記放送番組と連携するデータ放送を受信するデータ放送受信ステップと、
前記データ放送受信ステップによって受信されたデータ放送のデータに前記属性情報と一致するデータが存在するか否かを検索する属性情報一致データ検索ステップと、
前記属性情報一致データ検索ステップによって前記属性情報と一致するデータが検出されたデータ放送と連携する放送番組の一時記憶データを前記データが検出された時刻を基準とした所定時間分だけ前記一時記憶部から抽出する放送番組部分抽出ステップと、
前記放送番組部分抽出ステップによって抽出された前記所定時間分だけの前記放送番組の一時記憶データを保存記憶部に保存記憶する保存記憶ステップと
を含むことを特徴とする放送番組記録方法。
【請求項８】
記録する放送番組の属性情報をユーザ設定に基づき予め記憶しておく番組属性情報記憶部と、
受信された放送番組を一時記憶データとして一時記憶する一時記憶部と、
前記放送番組と連携するデータ放送を受信するデータ放送受信部と、
前記データ放送受信部によって受信されたデータ放送のデータに前記属性情報と一致するデータが存在するか否かを検索する属性情報一致データ検索部と、
前記属性情報一致データ検索部によって前記属性情報と一致するデータが検出されたデータ放送と連携する放送番組の一時記憶データを前記データが検出された時刻を基準とした所定時間分だけ前記一時記憶部から抽出する放送番組部分抽出部と、
前記放送番組部分抽出部によって抽出された前記所定時間分だけの前記放送番組の一時記憶データを保存記憶する保存記憶部と
を有することを特徴とする放送番組記録装置の制御回路。
【発明の詳細な説明】
【技術分野】
【０００１】
本発明は、受信した放送番組を記録する放送番組記録装置、放送番組記録プログラム、放送番組記録方法及び放送番組記録制御回路に関し、特に、録画のための記憶資源に制約がある装置において、ユーザが視聴したい場面を効率的に抽出して録画する放送番組記録装置、放送番組記録プログラム、放送番組記録方法及び放送番組記録制御回路に関する。
【背景技術】
【０００２】
従来から、テレビジョン放送番組を録画し、再生する録画再生装置があった。視聴者は、番組視聴中に該当番組を録画したり、予め録画再生装置に録画予約を入力しておき、録画時間に至ったときに自動的に番組録画を行わせたり、キーワード検索でヒットした番組を自動的に番組録画させたりして、所望の番組の録画を行っていた。
【０００３】
ここで、視聴者は、録画された番組を再生する場合、録画された番組のある特定部分のみを再生して視聴したい場合がある。この場合、視聴者は、録画再生装置の早送り等の機能を使用して、視聴したい特定部分をサーチする。
【０００４】
しかし、特に、録画された番組の録画時間が長い場合には、視聴したい特定部分をサーチすることは、非常に手間のかかる作業である。このため、従来技術では、番組を視聴しながら録画する場合に、特定録画部分の該当場面を識別するための付帯情報を付与して録画し、再生時に付帯情報を元に視聴したい特定部分をサーチすることが可能なデジタルテレビジョンシステムが考案されていた。
【０００５】
【特許文献１】特開２００１−１９７３２９号公報
【発明の開示】
【発明が解決しようとする課題】
【０００６】
しかしながら、上記従来技術では、所望の番組の録画は、該当番組全ての内容を録画していた。そのため、視聴者が特に再生して視聴したい部分以外の箇所も録画されており、視聴したい特定部分のサーチに時間がかかっていた。さらに該当番組全ての内容を録画するために、記憶媒体容量を大量に使用していた。
【０００７】
ところで、近年、テレビジョン放送において、番組の内容に連動する文字情報のデータを送信するデータ放送が普及してきている。データ放送は、放送番組の内容を説明したり、補完したりする機能を担う。
【０００８】
元来、データ放送は、デジタルデータで放送を行うが、アナログテレビジョン放送、デジタルテレビジョン放送を問わず利用されてきた。しかし、近時のデジタルテレビジョン放送の普及にあわせてデータ放送がより身近なものとなりつつある。
【０００９】
さらに、地上波デジタルテレビジョン放送の一方式として、「携帯電話又は移動体端末向けの１セグメント部分受信サービス」（以下、ワンセグと略記する）が登場し、普及しつつある。携帯電話・移動体端末（以下、携帯端末装置と呼ぶ）がワンセグ受信機能を搭載し、録画することが可能となってきている。
【００１０】
しかし、携帯端末装置は、録画番組の記憶資源に限りがあり、ワンセグ放送の番組を１番組全て録画することは、視聴者が特に再生して視聴したい部分以外の箇所も録画され記憶資源の使用効率が著しく低かった。すなわち、視聴者が特に再生して視聴したい部分は、記憶資源の制約上録画されず、視聴者が特に再生して視聴したい部分ではない部分が大量に録画され記憶資源を圧迫するという不都合が生じる場合があった。
【００１１】
本発明は、上記問題点（課題）を解消するためになされたものであって、携帯端末装置における受信放送番組の記録において、限られた記憶資源を効率的に使用して、視聴者が真に視聴したい放送番組を効率的に録画可能な放送番組記録装置、放送番組記録プログラム、放送番組記録方法及び放送番組記録制御回路を提供することを目的とする。
【課題を解決するための手段】
【００１２】
上述した問題を解決し、目的を達成するため、開示の放送番組記録装置、放送番組記録プログラム、放送番組記録方法及び放送番組記録制御回路は、記録する放送番組の属性情報をユーザ設定に基づき予め記憶しておき、受信された放送番組を一時記憶データとして一時記憶部に循環書き込みによって一時記憶し、受信された放送番組と連携するデータ放送のデータに記録する放送番組の属性情報と一致するデータが存在するか否かを検索し、属性情報と一致するデータが検出されたデータ放送と連携する放送番組の一時記憶データをデータが検出された時刻を基準とした所定時間分だけ一時記憶部から抽出し、抽出された所定時間分だけの放送番組の一時記憶データを保存記憶部に保存記憶することを要件とする。
【発明の効果】
【００１３】
開示の放送番組記録装置、放送番組記録プログラム、放送番組記録方法及び放送番組記録制御回路によれば、設定された自動録画時間に従って放送番組を記録保存することで、放送番組録画のための記憶媒体の使用容量を節減することが可能となるという効果を奏する。また、ユーザが見たい場面は逃さずに記録保存することが可能となるという効果を奏する。
【発明を実施するための最良の形態】
【００１４】
以下に添付図面を参照し、本発明の放送番組記録装置、放送番組記録プログラム、放送番組記録方法及び放送番組記録制御回路に係る実施形態の一例を詳細に説明する。なお、以下の実施形態の一例は、携帯端末装置が携帯電話端末であり、番組放送は、ワンセグであることを例として説明する。なお、携帯電話端末及びワンセグに限定されず、一般的な放送番組記録装置、及び、有線通信又は無線通信による放送型コンテンツ配信に広く適用可能である。
【００１５】
先ず、実施形態の一例に係るキーワード自動録画機能の概要について説明する。図１は、実施形態の一例に係るキーワード自動録画機能の概要を説明するための図である。同図に示す様に、ワンセグ受信機能及び録画機能を有する携帯電話端末１００は、放送番組を受信するとともに、放送番組と連携するデータ放送を受信する。
【００１６】
携帯電話端末１００において受信された放送番組の場面及びデータ放送は、携帯電話端末１００の表示部１１３の表示画面１１３ａに、図示の如く、互いに対応付けられた内容が表示される。ここで、携帯電話端末１００に予め設定されているキーワードは、「シュート」であるとする。
【００１７】
続いて、放送番組の場面及びデータ放送が更新されると、データ放送表示に「シュート」というキーワードが含まれていたとする。携帯電話端末１００は、「シュート」というキーワードの検出を契機として録画を自動的に開始し、検出時刻の前後の所定時間だけ放送番組の録画を行う。
【００１８】
この様に、ユーザが録画して視聴したい場面を特定するためにキーワード等を予め設定しておき、データ放送において一致するキーワードが検出された場合にのみ所定時間だけ録画する。すると、ユーザは、録画したい放送番組の場面を逃さず録画することができるとともに、携帯電話端末１００の限られたメモリ等の記憶資源を効率的に使用することができ、録画したい放送番組の場面をより多く録画することが可能になる。
【００１９】
次に、実施形態の一例に係る携帯電話端末の構成について説明する。図２は、実施形態の一例に係る携帯電話端末の構成を示す機能ブロック図である。同図に示す様に、実施形態の一例に係る携帯電話端末１００は、ワンセグ放送受信部１０１と、ワンセグ放送録画部１０２とを有する。
【００２０】
また、携帯電話端末１００は、ワンセグ放送録画データ操作処理部１０３と、ワンセグ放送録画データ再生処理部１０４とを有する。また、携帯電話端末１００は、データ放送受信部１０５と、ＢＭＬ（Broadcast  Markup  Language）データ一時記憶部１０６と、キーワード検出部１０７と、設定値記憶部１０８とを有する。
【００２１】
なお、設定値記憶部１０８には、設定値記憶テーブルが格納される。設定値記憶テーブルは、図３に例示する様に、「ジャンル」、「キーワード」、「自動録画時間」、「メールアドレス」、「ネットワークストレージ」の設定項目を含む。「ジャンル」は、録画対象の放送番組のジャンルを表わす。「キーワード」は、録画対象の放送番組のＢＭＬデータに含まれるかを検索するキーワードである。
【００２２】
「自動録画時間」は、キーワード検出部１０７によってＢＭＬデータから「ジャンル」や「キーワード」を検出した時刻を±０の基準時刻として、基準時刻の何分前から基準時刻の何分後までをワンセグ放送録画データ一時保存記憶部１０２ｂから切り出してワンセグ放送録画データ保存記憶部１０２ｄに保存記憶するかの時刻及び自動録画時間に関する情報である。
【００２３】
また、「メールアドレス」は、設定がある場合、ワンセグ放送録画データ操作処理部１０３によって録画データを添付して自動送信される電子メールの宛先アドレスである。さらに「ネットワークストレージ」は、設定がある場合、ワンセグ放送録画データ操作処理部１０３によって録画データが複写又は移動される先のオンラインストレージのユーザＩＤ、パスワード、宛先ドメインを含む情報である。
【００２４】
また、携帯電話端末１００は、入力キー等の操作入力部１０９と、パケット通信機能部１１０と、外部記憶部１１１と、表示部１１３と、通話機能部１１４とを有する。なお、ワンセグ放送受信部１０１及びデータ放送受信部１０５は、アンテナ１０１ａを介してワンセグ放送及びデータ放送を受信する。
【００２５】
ワンセグ放送受信部１０１は、受信したワンセグ放送のデータを、ワンセグ放送録画部１０２へと受け渡す。また、データ放送受信部１０５は、受信したワンセグ放送のデータと連携するデータ放送のデータを、ワンセグ放送受信部１０１によるワンセグ放送受信と同期又は数十秒程度遅延して受信する。
【００２６】
ワンセグ放送録画部１０２は、ワンセグ放送録画データ一時保存処理部１０２ａと、ワンセグ放送録画データ一時保存記憶部１０２ｂと、録画データ切り出し処理部１０２ｃと、ワンセグ放送録画データ保存記憶部１０２ｄとを含む。
【００２７】
ワンセグ放送録画データ一時保存処理部１０２ａは、ワンセグ放送受信部１０１から受け渡されたワンセグ放送のデータを、ワンセグ放送録画データ一時保存記憶部１０２ｂにサイクリックに一時記憶する。
【００２８】
ここで、“サイクリックに記憶する”とは、次の様なものである。図６に例示する様に、ワンセグ放送録画データ一時保存記憶部１０２ｂを例えば１分単位で順序づけられた記憶領域（０［ｍｉｎ］〜１２［ｍｉｎ］）に分割する。
【００２９】
そして、受信したワンセグ放送のデータを１分単位の記憶領域に順序に従って記憶させる。そして、順序づけられた記憶領域の末尾までワンセグ放送のデータを記憶すると、次のワンセグ放送のデータは、順序づけられた記憶領域の先頭に戻って上書きされる。
【００３０】
一方、データ放送受信部１０５は、受信したデータ放送のデータをＢＭＬデータ一時記憶部１０６に一時記憶させる。ＢＭＬデータとは、図４に示す様に、ＸＭＬ（eXtensible  Markup  Language）ベースのデータ放送向けのテキストベースのページ記述言語である。
【００３１】
キーワード検出部１０７は、設定値記憶部１０８に記憶される「ジャンル」や「キーワード」がＢＭＬデータ一時記憶部１０６に一時記憶されるＢＭＬデータに含まれるか否かを検索する。すなわち、テキストの一致性に基づく検索を行う。そして、該当する「ジャンル」や「キーワード」がＢＭＬデータ一時記憶部１０６に一時記憶されるデータに含まれる場合に、ワンセグ放送録画部１０２の録画データ切り出し処理部１０２ｃに対して、ワンセグ放送録画データ一時保存記憶部１０２ｂから該当するワンセグ放送の録画データの切り出しを指示する。
【００３２】
上記指示の際に、キーワード検出部１０７は、設定値記憶部１０８に格納される設定値記憶テーブルに格納されている自動録画時間（例えば、“−１分から３分”）に従ってワンセグ放送録画データ一時保存記憶部１０２ｂから録画データを切り出す様に指示する。
【００３３】
ここで、“−１分から３分”とは、キーワード検出部１０７がＢＭＬデータから「ジャンル」や「キーワード」を検出した時刻を±０の基準時刻として、基準時刻の１分前から基準時刻の３分後までの合計４分間の録画データの切り出しを行うことを示す。
【００３４】
録画データ切り出し処理部１０２ｃは、ワンセグ放送録画データ一時保存記憶部１０２ｂから録画データの切り出しを行う。録画データ切り出し処理部１０２ｃによってワンセグ放送録画データ一時保存記憶部１０２ｂから切り出された録画データは、ワンセグ放送録画データ保存記憶部１０２ｄに保存記憶される。
【００３５】
なお、録画データ切り出し処理部１０２ｃは、同一放送番組中で切り出しされた録画データは、切り出された順序でデータの末尾に追加され、一つのデータファイルとしてまとめることとしてもよい。この様にすると、ワンセグ放送録画データ保存記憶部１０２ｄに保存記憶される録画データは、同一放送番組中で、ユーザが視聴したい場面のみ録画した録画データとなり、ユーザの利便性を高めることができる。
【００３６】
ワンセグ放送録画データ操作処理部１０３は、ユーザによる操作入力部１０９からの指示に応じて、ワンセグ放送録画データ保存記憶部１０２ｄに保存記憶されている録画データを、パケット通信機能部１１０を介して遠隔の携帯電話端末やコンピュータに電子メールに添付して送信する。
【００３７】
また、ワンセグ放送録画データ操作処理部１０３は、ユーザによる操作入力部１０９からの指示に応じて、ワンセグ放送録画データ保存記憶部１０２ｄに保存記憶されている録画データを、外部記憶部１１１に保存する。
【００３８】
また、ワンセグ放送録画データ操作処理部１０３は、ユーザによる操作入力部１０９からの指示に応じて、ワンセグ放送録画データ保存記憶部１０２ｄに保存記憶されている録画データを、パケット通信機能部１１０を介して遠隔のオンラインストレージに保存する。
【００３９】
また、ワンセグ放送録画データ操作処理部１０３は、ユーザによる操作入力部１０９からの指示に応じて、ワンセグ放送録画データ保存記憶部１０２ｄに保存記憶されている録画データを削除する。
【００４０】
ワンセグ放送録画データ再生処理部１０４は、ユーザによる操作入力部１０９からの指示に応じて、ワンセグ放送録画データ保存記憶部１０２ｄに保存記憶されている録画データを再生して表示部１１３に表示させる。なお、通話機能部１１４は、携帯電話の音声通話機能をつかさどる。
【００４１】
次に、実施形態の一例に係る携帯電話端末１００で行われるキーワード自動録画処理について説明する。図５は、キーワード自動録画処理手順を示すフローチャートである。同図に示す様に、先ず、ワンセグ放送受信部１０１は、ワンセグ放送を受信する（ステップＳ１０１）。
【００４２】
続いて、ワンセグ放送録画データ一時保存処理部１０２ａは、ワンセグ放送録画データ一時保存記憶部１０２ｂに、ステップＳ１０１で受信したワンセグ放送録画データをサイクリックに一時保存記憶させる（ステップＳ１０２）。
【００４３】
続いて、データ放送受信部１０５は、データ放送を受信する（ステップＳ１０３）。続いて、キーワード検出部１０７は、ステップＳ１０３で受信したデータ放送のＢＭＬデータは、表示画面１１３ａに現在表示している（ＢＭＬデータ一時記憶部１０６に一時記憶している）ＢＭＬデータから更新ありか否かを判定する（ステップＳ１０４）。
【００４４】
更新ありと判定された場合（ステップＳ１０４肯定）、ステップＳ１０５へ移り、更新ありと判定されなかった場合（ステップＳ１０４否定）、ステップＳ１０１へ移る。ステップＳ１０５では、キーワード検出部１０７は、受信したＢＭＬと、設定値記憶部１０８の設定値記憶テーブルに登録されているキーワード等が一致するか否かを判定する。一致すると判定された場合（ステップＳ１０５肯定）、ステップＳ１０６へ移り、一致すると判定されなかった場合（ステップＳ１０５否定）、ステップＳ１０１へ移る。
【００４５】
ステップＳ１０６では、ワンセグ放送録画データ一時保存処理部１０２ａは、自動録画時間経過か否かを判定する。自動録画時間経過と判定された場合（ステップＳ１０６肯定）、ステップＳ１０７へ移り、自動録画時間経過と判定されなかった場合（ステップＳ１０６否定）、ステップＳ１０６を繰り返す。
【００４６】
ステップＳ１０７では、録画データ切り出し処理部１０２ｃは、該当する録画データをワンセグ放送録画データ一時保存記憶部１０２ｂから自動録画時間分だけ切り出す。続いて、録画データ切り出し処理部１０２ｃは、ワンセグ放送録画データ一時保存記憶部１０２ｂから切り出した録画データをワンセグ放送録画データ保存記憶部１０２ｄへ保存記憶する（ステップＳ１０８）。
【００４７】
続いて、ワンセグ放送受信部１０１は、ワンセグ放送受信終了か否かを判定する（ステップＳ１０９）。ワンセグ放送受信終了と判定された場合（ステップＳ１０９肯定）、キーワード自動録画処理は終了し、ワンセグ放送受信終了と判定されなかった場合（ステップＳ１０９否定）、ステップＳ１０１へ移る。
【００４８】
次に、ワンセグ放送録画データ一時保存記憶部からキーワード一致の録画データの切り出し方について説明する。図６は、ワンセグ放送録画データ一時保存記憶部１０２ｂからキーワード一致の録画データの切り出し方について説明する図である。
【００４９】
図６に示す様に、ワンセグ放送録画データ一時保存記憶部１０２ｂを例えば１分単位で順序づけられた記憶領域（０［ｍｉｎ］〜１２［ｍｉｎ］）に分割する。そして、受信したワンセグ放送のデータを１分単位の記憶領域に順序に従って記憶させる。そして、順序づけられた記憶領域の末尾までワンセグ放送のデータを記憶すると、次のワンセグ放送のデータは、順序づけられた記憶領域の先頭に戻って上書きされる。
【００５０】
すなわち、順序づけられた記憶領域の末尾と先頭とを論理的に結合させ、受信したワンセグ放送のうち、「ジャンル」、「キーワード」等が一致する録画データを順次上書き保存する。この様にすると、常に最大記憶容量分だけの最新のワンセグ放送のデータを記憶することが可能になる。
【００５１】
例えば、設定値記憶テーブルの「自動録画時間」が“−１分から５分”と設定されている場合に、キーワード検出時刻が“５［ｍｉｎ］”であるとする。このとき、キーワード検出時刻の“５［ｍｉｎ］”の１分前から録画を開始し、“５［ｍｉｎ］”の５分後まで録画を行う。
【００５２】
なお、設定値記憶テーブルの「自動録画時間」は、ワンセグ放送録画データ一時保存記憶部１０２ｂの最大記憶容量を超えて設定することはできない。設定値記憶テーブルの「自動録画時間」に、ワンセグ放送録画データ一時保存記憶部１０２ｂの最大記憶容量を超えて設定された場合には、最大記憶容量が設定されたものとして取り扱うこととする。
【００５３】
以上、本発明の実施形態の一例を説明したが、本発明は、これに限られるものではなく、特許請求の範囲に記載した技術的思想の範囲内で、更に種々の異なる実施形態で実施されてもよいものである。また、実施形態の一例に記載した効果は、これに限定されるものではない。
【００５４】
また、上記実施形態の一例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記実施形態の一例で示した処理手順、制御手順、具体的名称、各種のデータやパラメータを含む情報については、特記する場合を除いて任意に変更することができる。
【００５５】
また、図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００５６】
さらに、各装置にて行なわれる各処理機能は、その全部または任意の一部が、ＣＰＵ（Central  Processing  Unit）（またはＭＰＵ（Micro  Processing  Unit）、ＭＣＵ（Micro  Controller  Unit）などのマイクロ・コンピュータ）および当該ＣＰＵ（またはＭＰＵ、ＭＣＵなどのマイクロ・コンピュータ）にて解析実行されるプログラムにて実現され、あるいは、ワイヤードロジックによるハードウェアとして実現されてもよい。
【００５７】
以上の実施形態の一例を含む実施形態に関し、更に以下の付記を開示する。
【００５８】
（付記１）記録する放送番組の属性情報をユーザ設定に基づき予め記憶しておく番組属性情報記憶部と、
放送番組を受信する放送受信部と、
前記放送受信部によって受信された放送番組を一時記憶データとして一時記憶する一時記憶部と、
前記放送番組と連携するデータ放送を受信するデータ放送受信部と、
前記データ放送受信部によって受信されたデータ放送のデータに前記属性情報と一致するデータが存在するか否かを検索する属性情報一致データ検索部と、
前記属性情報一致データ検索部によって前記属性情報と一致するデータが検出されたデータ放送と連携する放送番組の一時記憶データを前記データが検出された時刻を基準とした所定時間分だけ前記一時記憶部から抽出する放送番組部分抽出部と、
前記放送番組部分抽出部によって抽出された前記所定時間分だけの前記放送番組の一時記憶データを保存記憶する保存記憶部と
を有することを特徴とする放送番組記録装置。
【００５９】
（付記２）前記一時記憶部は、前記放送受信部によって受信された放送番組の一時記憶データを循環書き込みすることを特徴とする付記１記載の放送番組記録装置。
【００６０】
（付記３）前記放送番組の属性情報は、該放送番組のジャンル及び該ジャンル毎の録画時間であることを特徴とする付記１又は２記載の放送番組記録装置。
【００６１】
（付記４）前記放送番組の属性情報は、該放送番組と連携するデータ放送のデータに含まれるキーワード及び該キーワード毎の録画時間であることを特徴とする付記１、２又は３記載の放送番組記録装置。
【００６２】
（付記５）前記保存記憶部に保存記憶された前記放送番組の一時記憶データを外部へ送信する送信部を有することを特徴とする付記１〜４のいずれか一つに記載の放送番組記録装置。
【００６３】
（付記６）前記送信部は、前記保存記憶部に保存記憶された前記放送番組の一時記憶データを外部記憶装置に複写又は移動させることを特徴とする付記５記載の放送番組記録装置。
【００６４】
（付記７）前記送信部は、前記保存記憶部に保存記憶された前記放送番組の一時記憶データを、ネットワークを介して接続される外部記憶装置に複写又は移動させることを特徴とする付記５又は６記載の放送番組記録装置。
【００６５】
（付記８）記録する放送番組の属性情報をユーザ設定に基づき予め記憶しておく番組属性情報記憶手順と、
放送番組を受信する放送受信手順と、
前記放送受信手順によって受信された放送番組を一時記憶データとして一時記憶部に循環書き込みによって一時記憶する一時記憶手順と、
前記放送番組と連携するデータ放送を受信するデータ放送受信手順と、
前記データ放送受信手順によって受信されたデータ放送のデータに前記属性情報と一致するデータが存在するか否かを検索する属性情報一致データ検索手順と、
前記属性情報一致データ検索手順によって前記属性情報と一致するデータが検出されたデータ放送と連携する放送番組の一時記憶データを前記データが検出された時刻を基準とした所定時間分だけ前記一時記憶部から抽出する放送番組部分抽出手順と、
前記放送番組部分抽出手順によって抽出された前記所定時間分だけの前記放送番組の一時記憶データを保存記憶部に保存記憶する保存記憶手順と
をコンピュータに実行させることを特徴とする放送番組記録プログラム。
【００６６】
（付記９）前記放送番組の属性情報は、該放送番組のジャンル及び該ジャンル毎の録画時間、又は、該放送番組と連携するデータ放送のデータに含まれるキーワード及び該キーワード毎の録画時間であることを特徴とする付記８記載の放送番組記録プログラム。
【００６７】
（付記１０）前記保存記憶部に保存記憶された前記放送番組の一時記憶データを外部へ送出する送信手順を前記コンピュータに実行させることを特徴とする付記８又は９記載の放送番組記録プログラム。
【００６８】
（付記１１）前記送信手順は、前記保存記憶部に保存記憶された前記放送番組の一時記憶データを外部記憶装置に複写又は移動させることを特徴とする付記１０記載の放送番組記録プログラム。
【００６９】
（付記１２）前記送信手順は、前記保存記憶部に保存記憶された前記放送番組の一時記憶データを、ネットワークを介して接続される外部記憶装置に複写又は移動させることを特徴とする付記１０又は１１記載の放送番組記録プログラム。
【００７０】
（付記１３）受信した放送番組を放送番組記録装置が録画する放送番組記録方法であって、
記録する放送番組の属性情報をユーザ設定に基づき予め記憶しておく番組属性情報記憶ステップと、
放送番組を受信する放送受信ステップと、
前記放送受信ステップによって受信された放送番組を一時記憶データとして一時記憶部に循環書き込みによって一時記憶する一時記憶ステップと、
前記放送番組と連携するデータ放送を受信するデータ放送受信ステップと、
前記データ放送受信ステップによって受信されたデータ放送のデータに前記属性情報と一致するデータが存在するか否かを検索する属性情報一致データ検索ステップと、
前記属性情報一致データ検索ステップによって前記属性情報と一致するデータが検出されたデータ放送と連携する放送番組の一時記憶データを前記データが検出された時刻を基準とした所定時間分だけ前記一時記憶部から抽出する放送番組部分抽出ステップと、
前記放送番組部分抽出ステップによって抽出された前記所定時間分だけの前記放送番組の一時記憶データを保存記憶部に保存記憶する保存記憶ステップと
を含むことを特徴とする放送番組記録方法。
【００７１】
（付記１４）記録する放送番組の属性情報をユーザ設定に基づき予め記憶しておく番組属性情報記憶部と、
受信された放送番組を一時記憶データとして一時記憶する一時記憶部と、
前記放送番組と連携するデータ放送を受信するデータ放送受信部と、
前記データ放送受信部によって受信されたデータ放送のデータに前記属性情報と一致するデータが存在するか否かを検索する属性情報一致データ検索部と、
前記属性情報一致データ検索部によって前記属性情報と一致するデータが検出されたデータ放送と連携する放送番組の一時記憶データを前記データが検出された時刻を基準とした所定時間分だけ前記一時記憶部から抽出する放送番組部分抽出部と、
前記放送番組部分抽出部によって抽出された前記所定時間分だけの前記放送番組の一時記憶データを保存記憶する保存記憶部と
を有することを特徴とする放送番組記録装置の制御回路。
【産業上の利用可能性】
【００７２】
開示の放送番組記録装置、放送番組記録プログラム、放送番組記録方法及び放送番組記録制御回路は、携帯電話・移動体端末向けの１セグメント部分受信サービスを受信して録画する機能を有する携帯電話又は移動体端末の様に、録画のための記憶資源に制約がある装置において、ユーザが視聴したい場面を効率的に抽出して録画したい場合に有用である。
【図面の簡単な説明】
【００７３】
【図１】実施形態の一例に係るキーワード自動録画機能の概要を説明するための図である。
【図２】実施形態の一例に係る携帯電話端末の構成を示す機能ブロック図である。
【図３】設定値記憶テーブルの一例を示す図である。
【図４】ＢＭＬの一例を示す図である。
【図５】キーワード自動録画処理手順を示すフローチャートである。
【図６】ワンセグ放送録画データ一時保存記憶部からキーワード一致の録画データの切り出し方を説明するための図である。
【符号の説明】
【００７４】
１００    携帯電話端末
１０１    ワンセグ放送受信部
１０１ａ    アンテナ
１０２    ワンセグ放送録画部
１０２ａ    ワンセグ放送録画データ一時保存処理部
１０２ｂ    ワンセグ放送録画データ一時保存記憶部
１０２ｃ    録画データ切り出し処理部
１０２ｄ    ワンセグ放送録画データ保存記憶部
１０３    ワンセグ放送録画データ操作処理部
１０４    ワンセグ放送録画データ再生処理部
１０５    データ放送受信部
１０６    ＢＭＬデータ一時記憶部
１０７    キーワード検出部
１０８    設定値記憶部
１０９    操作入力部
１１０    パケット通信機能部
１１１    外部記憶部
１１３    表示部
１１３ａ    表示画面
１１４    通話機能部
【図１】
2010035009.tif 000003
【図２】
2010035009.tif 000004
【図３】
2010035009.tif 000005
【図４】
2010035009.tif 000006
【図５】
2010035009.tif 000007
【図６】
2010035009.tif 000008